(57)【要約】【課題】利得が低下することを抑えつつ受信信号レベルの瞬時の急激な変動に対応する増幅装置を提供することを目的とする。【解決手段】増幅装置は、入力信号を増幅して出力する高周波増幅回路２と、高周波増幅回路２への電源の供給路において、電源電流を監視し、電源電流が所定値を超える場合に、高周波増幅回路２における増幅の利得を下げる瞬時変動検出回路１１とを備える。【選択図】    図１
2005027056.tif 000002
【特許請求の範囲】
【請求項１】
入力信号を増幅して出力する増幅回路と、
前記増幅回路への電源の供給路において、電源電流を監視し、当該電源電流が所定値を超えるか否か判定する判定手段と、
前記判定手段により電源電流が所定値を超えると判定された場合に、前記増幅回路における増幅の利得を下げる利得制御手段とを備えることを特徴とする増幅装置。
【請求項２】
前記判定手段は、
前記電源電流の単位時間当たりの増加量が予め定められた基準値以上であれば、電源電流が所定値を超えると判定することを特徴とする請求項１に記載の増幅装置。
【請求項３】
前記増幅回路は、
ゲート電圧に対するドレイン電流が、線形関係になる線形領域を有するトランジスタにおいて、当該トランジスタのゲートに前記入力信号を入力することにより当該入力信号に対応したドレイン電流を流し、当該ドレイン電流に基づく電圧を出力信号として出力するトランジスタ回路と、
前記入力信号を、前記トランジスタ回路を回避して出力するバイパス回路と、
前記入力信号を前記トランジスタ回路と前記バイパス回路とのいずれか一方に導くスイッチとを備え、
前記判定手段は、
前記線形領域内において予め定められた上限値を前記所定値とし、
前記利得制御手段は、
前記判定手段によりドレイン電流が前記上限値を超えると判定された場合に、前記入力信号を前記バイパス回路に導くように前記スイッチを制御することを特徴とする請求項２に記載の増幅装置。
【請求項４】
受信信号を増幅して出力する増幅回路と、当該増幅回路からの出力信号を一定の伝達時間を要して復調回路に伝達する伝達経路とを含む受信装置であって、
前記伝達経路から伝達された伝達信号レベルを監視し、当該伝達信号レベルが前記復調回路の入力許容値を超える場合に、前記増幅回路による増幅の利得を下げる第１利得制御手段と、
前記増幅回路への電源の供給路において、電源電流を監視し、当該電源電流が所定値を超えるか否か判定する判定手段と、
前記判定手段により電源電流が所定値を超えると判定された場合に、前記増幅回路における増幅の利得を下げる第２利得制御手段とを備えることを特徴とする受信装置。
【請求項５】
前記判定手段は、
前記電源電流の単位時間当たりの増加量が予め定められた基準値以上であれば、電源電流が所定値を超えると判定することを特徴とする請求項４に記載の受信装置。
【請求項６】
前記増幅回路は、
ゲート電圧に対するドレイン電流が、線形関係になる線形領域を有するトランジスタにおいて、当該トランジスタのゲートに前記入力信号を入力し、当該入力信号に対応したドレイン電流に基づく電圧を出力信号として出力するトランジスタ回路と、
前記入力信号を、前記トランジスタ回路を回避して出力するバイパス回路と、
前記入力信号を前記トランジスタ回路と前記バイパス回路とのいずれか一方に導くスイッチとを備え、
前記判定手段は、
前記線形領域内において予め定められた上限値を前記所定値とし、
前記第２利得制御手段は、
前記判定手段によりドレイン電流が前記上限値を超えると判定された場合に、前記入力信号を前記バイパス回路に導くように前記スイッチを制御することを特徴とする請求項５に記載の受信装置。
【発明の詳細な説明】
【０００１】
【発明の属する技術分野】
本発明は、増幅装置に関し、特に、入力信号レベルの急激な変動に対しても適切に応答する利得制御技術に関する。
【０００２】
【従来の技術】
携帯電話機等の移動体通信機において、受信信号は増幅回路において増幅された後、フィルタ回路、ミキサ回路等を経て復調回路に入力され、当該復調回路においてベースバンド信号に復調される。増幅回路は、受信信号レベルが一定値を超えると出力信号に歪が生じてしまうため、利得が制御されている。具体的には、ＡＧＣ（Ａｕｔｏ  Ｇａｉｎ  Ｃｏｎｔｒｏｌ）回路が、復調回路に入力される入力信号レベルを検出し、検出された入力信号レベルを復調回路の入力許容範囲に収めるように増幅回路にフィードバックすることにより制御される。
【０００３】
ところが、上述のように増幅回路から出力された出力信号は、各回路を経由することで、一定の伝達時間を要して復調回路に入力される。したがって、受信信号レベルに瞬時の急激な変動があった場合に、ＡＧＣ回路による利得制御が間に合わないことがある。
そこで特許文献１は、初段の増幅回路の直後の信号線を分流して出力信号レベルを検出して利得制御することにより、受信信号レベルの瞬時の急激な変動に対応する方法を開示している。
【０００４】
【特許文献１】
特開２０００−１５１２９０号公報
【０００５】
【発明が解決しようとする課題】
しかしながら、特許文献１に係る利得制御方法は、増幅回路の直後の信号線を分流させて信号レベルを検出するため、信号レベルに損失が生じ、結果的に利得が低下してしまうという問題が発生する。
そこで、本発明は、利得が低下することを抑えつつ受信信号レベルの瞬時の急激な変動に対応する増幅装置を提供することを目的とする。
【０００６】
【課題を解決するための手段】
上記課題を解決するために、本発明に係る増幅装置は、入力信号を増幅して出力する増幅回路と、前記増幅回路への電源の供給路において、電源電流を監視し、当該電源電流が所定値を超えるか否か判定する判定手段と、前記判定手段により電源電流が所定値を超えると判定された場合に、前記増幅回路における増幅の利得を下げる利得制御手段とを備えることを特徴とする。
【０００７】
上記構成によれば、増幅装置は、増幅回路への電源電流を監視し、当該電源電流に基づいて増幅回路の利得を下げている。なお、電源電流は増幅回路からの出力信号レベルと連動しているので、電源電流を監視することは、間接的に出力信号レベルを監視することとなる。通常、電流を監視するには、供給路から電流を分流させる必要があるが、それが電源電流の場合、分流した分は電源から補給されるため、増幅回路への電源電流が減少することはない。
【０００８】
一方、増幅回路の出力信号レベルを監視することにより増幅回路の利得を制御する従来法では、出力信号線から電流を分流する必要があり、分流した分だけ出力信号レベルの減少が生じる。
このように、本発明に係る増幅装置は、増幅回路の出力信号レベルを監視する従来法のような出力信号レベルの減少がなく、増幅装置全体の利得の低下を防止することができる。
【０００９】
また、当該増幅装置は、増幅回路への電源電流を監視し、所定値を超えると判定された場合に当該増幅回路の利得を下げている。これは、増幅回路の後段の各回路を伝達した後に伝達された信号レベルを監視して利得制御を行う方法に比べて速い応答速度が期待できる。したがって、増幅装置は、入力信号レベルの急激に変化にも対応することができる。
【００１０】
【発明の実施の形態】
以下、本発明の実施の形態について図面を用いて詳細に説明する。
＜概要＞
本実施の形態に係る受信装置は、高周波増幅回路が電源から電流Ｉ１を受ける電源線において当該電流Ｉ１を監視し、その電流値に基づいて高周波増幅回路の利得を制御している。ここで、電流Ｉ１は、高周波増幅回路の出力信号レベルに連動しているため、電流Ｉ１を監視することにより間接的に出力信号レベルを監視することができる。このように、受信装置は、電源線の電流Ｉ１を監視しているので、高周波増幅回路の出力信号レベルを直接監視する場合に比べて出力信号レベルの降下を防止することができる。即ち、受信装置の利得損失を防止することができる。
【００１１】
＜構成＞
図１は、受信装置の構成を示す図である。
受信装置は、アンテナ１、高周波増幅回路２、高周波フィルタ回路３、高周波ミキサ回路４、中間周波増幅回路５、中間周波フィルタ回路６、中間周波ミキサ回路７、ＡＤ変換回路８、復調回路９、ＡＧＣ回路１０及び瞬時変動検出回路１１からなる。
【００１２】
アンテナ１は、特定周波数の電波を受信信号として受信し、高周波増幅回路２に出力する。
高周波増幅回路２は、受信信号レベルをトランジスタＱ４により増幅して出力するトランジスタ回路と、受信信号レベルを増幅せずに出力するバイパス回路とからなる。
【００１３】
トランジスタＱ４は、ソース接地型の増幅トランジスタとして機能し、ゲートに入力される受信信号レベルに応じてドレイン電流Ｉ１を流す。ドレイン電流Ｉ１が抵抗Ｒ１を流れることによりＰ１において電圧が発生し、この電圧が出力信号として高周波フィルタ回路３に出力される。
トランジスタＱ５は、スイッチングトランジスタとして機能し、ゲート電圧がＨレベル（例えば、２．７Ｖ）であればドレイン−ソース間を導通し、ゲート電圧がＬレベル（例えば、０Ｖ）であればドレイン−ソース間を非導通とする。ゲート電圧はＡＧＣ回路１０及び瞬時変動検出回路１１により与えられる。
【００１４】
高周波フィルタ回路３は、バンドパスフィルタであり、高周波増幅回路２の出力信号のうち不必要な周波数成分をカットする。
高周波ミキサ回路４は、局部発信回路（図示せず）からのＲＦローカル信号（ＲＦＬｏ）を用いて高周波を第１中間周波に変換する。
中間周波増幅回路５は、第１中間周波に変換された第１中間周波信号を増幅する。この際、増幅の利得は、ＡＧＣ回路１０により制御される。
【００１５】
中間周波フィルタ回路６は、バンドパスフィルタであり、中間周波増幅回路５の出力信号のうち不必要な周波数成分をカットする。
中間周波ミキサ回路７は、局部発信回路（図示せず）からのＩＦローカル信号（ＩＦＬｏ）を用いて第１中間周波を第２中間周波に変換する。
ＡＤ変換回路８は、第２中間周波信号をデジタル変換して復調回路９に入力する。
【００１６】
復調回路９は、デジタル変換された第２中間周波信号を受けてベースバンド信号に復調する。
ＡＧＣ回路１０は、復調回路９に入力される入力信号レベルを監視しており、当該入力信号レベルが復調回路の入力許容範囲に収まるように高周波増幅回路２及び中間周波増幅回路５の利得を制御する。つまりＡＧＣ回路１０は、復調回路９の入力信号レベルが入力許容範囲を超えて大きくなると、高周波増幅回路２及び中間周波増幅回路５の利得を下げ、入力信号レベルが入力許容範囲を超えて小さくなると、逆に利得を上げる。なお、高周波増幅回路２のトランジスタＱ５には、通常時、Ｌレベルを与えており、利得を下げるときのみにＨレベルを与える。
【００１７】
瞬時変動検出回路１１は、電源から高周波増幅回路２に流入する電流Ｉ１を監視し、電流Ｉ１の単位時間当たりの増加量が基準値を超えた場合に高周波増幅回路２の利得を下げる回路であり、具体的には以下に示す。
トランジスタＱ１、Ｑ２、Ｑ３は、それぞれ同じ特性を有し、ミラー回路を構成している。これにより、トランジスタＱ１、Ｑ２、Ｑ３を流れる電流Ｉ１、Ｉ２、Ｉ３には、常に以下の関係が成り立つ。
【００１８】
Ｉ１＝２×Ｉ２＝２×Ｉ３
比較器Ａ１は、Ｐ２及びＰ３における電圧Ｖ２及びＶ３を監視し、Ｖ２がＶ３より大きければＬレベルを出力し、Ｖ２がＶ３より小さければＨレベルを出力する。また、抵抗Ｒ２は抵抗Ｒ３よりも抵抗値が大きく設計してある。
通常時、電圧Ｖ２と電圧Ｖ３は、以下のようになるので、Ｖ２がＶ３よりも大きくなり、比較器Ａ１の出力はＬレベルとなる。
【００１９】
電圧Ｖ２＝Ｒ２×Ｉ２
電圧Ｖ３＝Ｒ３×Ｉ３
このような状態で、高周波増幅回路２の受信レベルが急激に上昇し、それに伴い、Ｉ１、Ｉ２、Ｉ３が瞬時に増加したとする。
このとき、電圧Ｖ２は、一定の時定数をもって変化するのに対し、電圧Ｖ３は、電流Ｉ３に追随して変化する。この変化の違いにより、電圧Ｖ２とＶ３との大小関係が逆転し、比較器Ａ１の出力がＨレベルとなる。これにより、トランジスタＱ５が導通状態となり、受信信号がバイパス回路側を流れることになり、高周波増幅回路２の利得が下がる。
【００２０】
なお、抵抗Ｒ２、Ｒ３、容量Ｃ２を調整することにより、電圧Ｖ２とＶ３との大小関係が逆転する基準値を調整することができる。
以下に、瞬時変動検出回路１１による利得制御の応答時間と、ＡＧＣ回路１０による利得制御の応答時間とを定量的に評価する。
図１に記載された各素子の具体値を以下の通りとする。
【００２１】
抵抗Ｒ２＝２．１ｋΩ
抵抗Ｒ３＝２ｋΩ
抵抗Ｒ４＝１０ｋΩ
抵抗Ｒ５＝１０ｋΩ
抵抗Ｒ６＝１０ｋΩ
容量Ｃ２＝０．１μＦ
容量Ｃ６＝０．０１μＦ
ここで、定常時の電流Ｉ１は１ｍＡであるが、何らかの理由により受信レベルが急激に上昇し、電流Ｉ１が１．５ｍＡまで増加した場合を考える。（この場合、電流Ｉ２、Ｉ３は、０．５ｍＡから０．７５ｍＡまで増加することになる。）上記の条件であれば、定常時の電圧Ｖ２は１．０５Ｖ、電圧Ｖ３は１Ｖであり、Ｖ２がＶ３よりも大きいので、比較器Ａ１の出力はＬレベルとなる。
【００２２】
電流Ｉ１が瞬時に１ｍＡから１．５ｍＡまで上昇した場合、電圧Ｖ２は一定の時定数をもって上昇するのに対し、電圧Ｖ３は電流Ｉ１に追随して上昇し、Ｖ２とＶ３との大小関係が逆転する。この逆転するまでの応答時間、即ち、瞬時変動検出回路１１による利得制御の応答時間は、シミュレーションの結果、２０μｓｅｃとなる。
【００２３】
一方、ＡＧＣ回路１０による利得制御の応答時間は、最短でも０．１ｍｓｅｃである。ここで、「最短でも」というのは、上記の０．１ｍｓｅｃには、ＡＧＣ回路１０が出力してから高周波増幅回路２が検知するまでの時間（抵抗値Ｒ６と容量Ｃ６との値により決まる）のみしか考慮されていないからである。つまり、上記の０．１ｍｓｅｃには、高周波増幅回路２からＡＧＣ回路１０までの伝達時間が含まれていない。この伝達時間は、各フィルタ回路における遅延時間や、ＡＤ変換回路８におけるサンプリング周波数などにより決まるが、設計思想により大幅に異なるので一概には言えない。
【００２４】
上述のように、本実施の形態に係る受信装置は、瞬時変動検出回路１１を設けることにより、受信信号レベルの急激な上昇に対する利得を下げる応答時間を、約２０μｓｅｃに短縮することができる。
例えば、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）による通信方式の場合、１タイムスロットが６２５μｓｅｃである。１タイムスロットの時間（６２５μｓｅｃ）に比べて応答時間（２０μｓｅｃ）が短いので、受信タイムスロット内で受信信号レベルの急激な上昇が起きても高周波増幅回路２の出力信号の歪みによる復調の不具合が少なくてすむ。
【００２５】
＜動作＞
以下に、上述の受信装置において受信信号レベルが急激に変動した場合の動作を示す。
図２は、受信装置の各点における信号レベル、及び利得を示す図である。
図２（ａ）は、受信信号レベルを示す。受信信号レベルは、当該受信装置の受信環境等により変動している。特に、携帯電話機等の移動体通信機であれば、移動することにより受信環境が変化するので受信信号レベルの変動が顕著である。図２（ａ）では、時刻ｔ１付近から時刻ｔ２付近にかけて受信信号レベルの急激なピークが存在している。
【００２６】
図２（ｂ）は、瞬時変動検出回路１１のＰ２及びＰ３における電圧Ｖ２及びＶ３を示す。定常時、Ｖ２はＶ３よりも大きいが、受信信号レベルが瞬時に急激に上昇した場合、Ｖ２は一定の時定数をもって上昇するのに対し、Ｖ３は受信信号レベルに追随して上昇する。そのため、時刻ｔ１から時刻ｔ２まで、Ｖ２がＶ３よりも小さくなる逆転現象が起きる。
【００２７】
図２（ｃ）は、比較器の出力レベルを示す。比較器Ａ１は、定常時、Ｌレベルであり、上記の逆転現象が起きている間だけＨレベルを示す。
図２（ｄ）は、高周波増幅回路の利得を示す。高周波増幅回路２は、比較器Ａ１の出力レベルがＨレベルであるとき、トランジスタＱ５が導通状態となり、受信信号を、トランジスタＱ４をバイパスして出力するため利得が下がる。
【００２８】
図２（ｅ）は、高周波増幅回路の出力信号レベルを示す。高周波増幅回路２の出力信号レベルは、図２（ａ）受信信号レベルと図２（ｄ）利得との乗算した結果となる。
なお、トランジスタＱ４は、入力信号レベルに比例して出力信号レベルが変化する線形領域と、入力信号レベルが大きくなっても出力信号レベルがほとんど変化しない飽和領域とを伝達特性として有している。トランジスタＱ４を増幅器とするには、線形領域で利用しなければならない。図２（ｅ）中の許容値は、線形領域において予め定められた出力信号レベルの上限値である。図２（ｅ）は、瞬時変動検出回路１１による利得制御により、高周波増幅回路２の出力信号レベルが許容値を超えることがないことを示している。
【００２９】
このように、本実施の形態に係る受信装置の第１の特徴は、瞬時変動検出回路１１が、高周波増幅回路２へ流入する電流Ｉ１に基づいて利得制御を行うことにある。例えば、従来のように高周波増幅回路２の出力信号レベルを検出して利得制御を行おうとすると、高周波増幅回路２と高周波フィルタ回路３との間の信号線から出力信号を分流させて検出する必要があるため、出力信号に損失が発生してしまう。しかし、本実施の形態のように、電源と高周波増幅回路２とを結ぶ電源線から電流を分流させて検出した場合、出力信号に損失が発生することはない。
【００３０】
また、受信装置の第２の特徴は、ＡＧＣ回路１０による利得制御に加えて、当該ＡＧＣ回路１０による利得制御よりも応答時間の短い、瞬時変動検出回路１１の利得制御を備えることである。
これにより、急激な受信信号レベルの変化に適応する利得制御が可能となる。
さらに、第３の特徴は、瞬時変動検出回路１１は、受信信号レベルの増加率に基づいて利得制御を行うことである。これにより、受信信号レベルの絶対値の大小に関わらず、増加率が大きければ利得を下げることができ、利得制御が間に合わないという事態を防止することができる。逆に、受信信号レベルが緩やかに増大する場合は、瞬時変動検出回路１１が利得を下げることができない。しかし、このような場合は、入力信号レベルの絶対値に基づき利得制御を行うＡＧＣ回路１０により、利得を下げることができる。このように、受信装置は、瞬時変動検出回路１１による利得制御とＡＧＣ回路１０による利得制御との２通りの利得制御を相補的に活用し、全体として適切な利得制御を行うことができる。
【００３１】
なお、本実施の形態では、瞬時変動検出回路１１は、受信信号レベルの増加率に基づいて利得制御を行っているが、これに限らず、受信信号レベルの絶対値に基づいて利得制御を行ってもよい。これは例えば、瞬時変動検出回路１１における比較器Ａ１に、Ｒ２×Ｉ２により生成された電圧Ｖ２を入力するのではなく、常に一定の参照電圧Ｖｒｅｆを入力することで実現できる。
【００３２】
なお、本実施の形態では、高周波増幅回路２の利得制御方法として、トランジスタＱ５のスイッチングによる二者択一的な利得制御を行っているが、これに限らず、可変抵抗等による連続的な利得制御を行ってもよい。
【００３３】
【発明の効果】
本発明に係る増幅装置は、入力信号を増幅して出力する増幅回路と、前記増幅回路への電源の供給路において、電源電流を監視し、当該電源電流が所定値を超えるか否か判定する判定手段と、前記判定手段により電源電流が所定値を超えると判定された場合に、前記増幅回路における増幅の利得を下げる利得制御手段とを備えることを特徴とする。
【００３４】
上記構成によれば、増幅装置は、増幅回路への電源電流を監視し、当該電源電流に基づいて増幅回路の利得を下げている。なお、電源電流は増幅回路からの出力信号レベルと連動しているので、電源電流を監視することは、間接的に出力信号レベルを監視することとなる。通常、電流を監視するには、供給路から電流を分流させる必要があるが、それが電源電流の場合、分流した分は電源から補給されるため、増幅回路への電源電流が減少することはない。
【００３５】
一方、増幅回路の出力信号レベルを監視することにより増幅回路の利得を制御する従来法では、出力信号線から電流を分流する必要があり、分流した分だけ出力信号レベルの減少が生じる。
このように、本発明に係る増幅装置は、増幅回路の出力信号レベルを監視する従来法のような出力信号レベルの減少がなく、増幅装置全体の利得の低下を防止することができる。
【００３６】
また、当該増幅装置は、増幅回路への電源電流を監視し、所定値を超えると判定された場合に当該増幅回路の利得を下げている。これは、増幅回路の後段の各回路を伝達した後に伝達された信号レベルを監視して利得制御を行う方法に比べて速い応答速度が期待できる。したがって、増幅装置は、入力信号レベルの急激に変化にも対応することができる。
【００３７】
また、前記判定手段は、前記電源電流の単位時間当たりの増加量が予め定められた基準値以上であれば、電源電流が所定値を超えると判定することとしてもよい。
上記構成によれば、増幅装置は、電源電流の増加率が基準値以上であれば、利得を下げる。つまり、電流値そのものではなく電流の増加率に基づいて利得制御を行う。したがって、増幅装置は、増加率が大きい急激な変動があった場合、電源電流が実際に大きくなる事前に利得制御を動作させることができるので、利得制御が間に合わないという事態を防止することができる。
【００３８】
また、前記増幅回路は、ゲート電圧に対するドレイン電流が、線形関係になる線形領域を有するトランジスタにおいて、当該トランジスタのゲートに前記入力信号を入力することにより当該入力信号に対応したドレイン電流を流し、当該ドレイン電流に基づく電圧を出力信号として出力するトランジスタ回路と、前記入力信号を、前記トランジスタ回路を回避して出力するバイパス回路と、前記入力信号を前記トランジスタ回路と前記バイパス回路とのいずれか一方に導くスイッチとを備え、前記判定手段は、前記線形領域内において予め定められた上限値を前記所定値とし、前記利得制御手段は、前記判定手段によりドレイン電流が前記上限値を超えると判定された場合に、前記入力信号を前記バイパス回路に導くように前記スイッチを制御することとしてもよい。
【００３９】
トランジスタを増幅器として利用する場合、増幅後の信号に歪が生じない線形領域で利用しなければならない。上記構成によれば、増幅装置は、線形領域おいてドレイン電流の上限値を予め設定しておき、ドレイン電流（電源電流）が上限値を超えると判定される場合に、トランジスタ回路を回避するバイパス回路へと入力信号を導くことにより利得を下げている。したがって、ドレイン電流が線形領域を逸脱することがなく、出力信号が歪まないようにしている。
【００４０】
本発明に係る受信装置は、受信信号を増幅して出力する増幅回路と、当該増幅回路からの出力信号を一定の伝達時間を要して復調回路に伝達する伝達経路とを含む受信装置であって、前記伝達経路から伝達された伝達信号レベルを監視し、当該伝達信号レベルが前記復調回路の入力許容値を超える場合に、前記増幅回路による増幅の利得を下げる第１利得制御手段と、前記増幅回路への電源の供給路において、電源電流を監視し、当該電源電流が所定値を超えるか否か判定する判定手段と、前記判定手段により電源電流が所定値を超えると判定された場合に、前記増幅回路における増幅の利得を下げる第２利得制御手段とを備えることを特徴とする。
【００４１】
上記構成によれば、受信装置は、復調回路への入力信号レベルに基づいて利得制御を行う第１利得制御手段と、増幅回路への電源電流に基づいて利得制御を行う第２利得制御手段とを有する。第１利得制御手段は、復調回路への入力信号レベルを入力許容範囲に収めるように制御するためのものである。これにより受信装置は、復調回路に好適な入力信号レベルを入力することができる。
【００４２】
また、第２利得制御手段は、増幅回路への電源電流を監視し、所定値を超えると判定された場合に当該増幅回路の利得を下げている。これは、増幅回路の後段の各回路を伝達した後に伝達された信号レベルを監視して利得制御を行う第１利得制御手段に比べて速い応答速度が期待できる。
このように、受信装置は、復調回路の入力信号レベルを好適に保つ第１利得制御手段に加え、受信信号レベルの急激な変動に対応する第２利得制御手段を合わせもつことで、第１利得制御手段のみを有する受信装置よりも受信信号レベルの変動に対する応答性を高くすることができる。
【００４３】
なお、第２利得制御手段において、電源電流は増幅回路からの出力信号レベルと連動しているので、電源電流を監視することは、間接的に出力信号レベルを監視することとなる。電流を監視するには、供給路から電流を分流させる必要があるが、電源電流の場合、分流した分は電源から補給されるため、増幅回路への電源電流が減少することはない。したがって、本発明に係る受信装置は、増幅回路の出力信号レベルを監視することによる利得の低下を防止することができる。
【００４４】
また、前記判定手段は、前記電源電流の単位時間当たりの増加量が予め定められた基準値以上であれば、電源電流が所定値を超えると判定することとしてもよい。
上記構成によれば、受信装置は、電源電流の増加率が基準値以上であれば、利得を下げる。つまり、電流値そのものではなく電流の増加率に基づいて利得制御を行う。したがって、受信装置は、増加率が大きい急激な変動があった場合、電源電流が実際に大きくなる事前に利得制御を動作させることができるので、利得制御が間に合わないという事態を防止することができる。
【００４５】
また、前記増幅回路は、ゲート電圧に対するドレイン電流が、線形関係になる線形領域を有するトランジスタにおいて、当該トランジスタのゲートに前記入力信号を入力し、当該入力信号に対応したドレイン電流に基づく電圧を出力信号として出力するトランジスタ回路と、前記入力信号を、前記トランジスタ回路を回避して出力するバイパス回路と、前記入力信号を前記トランジスタ回路と前記バイパス回路とのいずれか一方に導くスイッチとを備え、前記判定手段は、前記線形領域内において予め定められた上限値を前記所定値とし、前記第２利得制御手段は、前記判定手段によりドレイン電流が前記上限値を超えると判定された場合に、前記入力信号を前記バイパス回路に導くように前記スイッチを制御することとしてもよい。
【００４６】
トランジスタを増幅器として利用する場合、増幅後の信号に歪が生じない線形領域で利用しなければならない。上記構成によれば、受信装置は、線形領域おいてドレイン電流の上限値を予め設定しておき、ドレイン電流（電源電流）が上限値を超えると判定される場合に、トランジスタ回路を回避するバイパス回路へと入力信号を導くことにより利得を下げている。したがって、ドレイン電流が線形領域を逸脱することがなく、出力信号が歪まないようにしている。
【図面の簡単な説明】
【図１】受信装置の構成を示す図である。
【図２】受信装置の各点における信号レベル、及び利得を示す図である。
【符号の説明】
１    アンテナ
２    高周波増幅回路
３    高周波フィルタ回路
４    高周波ミキサ回路
５    中間周波増幅回路
６    中間周波フィルタ回路
７    中間周波ミキサ回路
８    ＡＤ変換回路
９    復調回路
１０    ＡＧＣ回路
１１    瞬時変動検出回路
【図１】
2005027056.tif 000003
【図２】
2005027056.tif 000004